(57)【要約】  本発明は、適切に保持されて所定の処理を行える表示部材、これを用いたヘッドアップディスプレイ装置及び表示部材を保持する治具を提供することを目的とする。  本発明の表示部材（２００）は、所定の処理が施される曲率を持った光学面と、前記光学面に連結された複数の部材係合部（２０３）とを有し、前記部材係合部（２０３）は一列にもしくは平行に並んで形成されており、治具（３００）の治具係合部（３０２）により挟持されるようになっており、前記部材係合部（２０３）が前記治具係合部（３０２）により挟持されることで、前記所定の処理の間、前記治具（３００）を介して保持されるようになっている。
2018092636.tif 000002
【特許請求の範囲】
【請求項１】
所定の処理が施される所定の曲率を持った光学面と、  前記光学面に連結された複数の部材係合部とを有し、  前記部材係合部は一列にもしくは平行に並んで形成されており、治具の治具係合部により把持されるようになっており、  前記部材係合部が前記治具係合部により把持されることで、前記所定の処理の間、前記治具を介して保持されるようになっている表示部材。
【請求項２】
前記所定の処理とは、前記治具により保持した前記表示部材の光学面を処理液に浸漬することである請求項１に記載の表示部材。
【請求項３】
前記部材係合部は、前記所定の処理後に切断される請求項１又は２に記載の表示部材。
【請求項４】
請求項１〜３のいずれかに記載の表示部材と、前記表示部材に対して前記表示光出射する描画ユニットとを有することを特徴とするヘッドアップディスプレイ装置。
【請求項５】
請求項１〜３のいずれかに記載の表示部材を保持する為の治具であって、前記複数の部材係合部の両面を挟持することにより把持する治具係合部を有する治具。
【請求項６】
前記所定の処理とは、前記治具により保持した前記表示部材の光学面を処理液に浸漬することであり、前記治具係合部は前記処理液に浸漬されない請求項５に記載の治具。
【請求項７】
前記治具係合部は一列にもしくは平行に並んだ板部、角柱部、又は円筒部を有する請求項５又は６に記載の治具。
【発明の詳細な説明】
【技術分野】
【０００１】  本発明は、例えば自動車での使用を主たる用途とするヘッドアップディスプレイ装置、より詳細には、半透明の表示部材（コンバイナ）を介して、コンバイナを透過する光により視認される車両前方風景と、コンバイナを反射する光により提供される画像や情報をドライバー（観察者）の視野において重ねて視認させることが可能なヘッドアップディスプレイ装置に用いると好適な表示部材、ヘッドアップディスプレイ装置及び治具に関する。
【背景技術】
【０００２】  自動車の運転中、車両内で計器類の速度などの情報を直接、フロントガラス等に虚像として映し出すことができれば、視野を変化させることなく運転でき、事故防止につながる。そこで、人間の視野に直接情報を映し出す手段として、ヘッドアップディスプレイ装置が開発された。かかるヘッドアップディスプレイ装置においては、通常、小型の液晶プロジェクターなどの投影機から出射された光が、ハーフミラー材を含んだ透明基材からなるコンバイナ(表示部材)や、フロントガラスにおいて透過および反射されるようになっている。従ってドライバー（観察者）は、コンバイナ等に表示された情報を取得するとともに、コンバイナ等を透かして外の風景などの外部情報を同時に取得することができる。【０００３】  ところで、傷つき防止のためコンバイナにある程度の硬さを持たせるようにすべく、その表面に形成される層にハードコート層を設けることがある。ハードコート層は、一般的にはコンバイナの素材を処理液に浸漬したのち、乾燥、硬化させることで形成できる。かかる場合、射出成形されたコンバイナの素材を、どのようにして処理液に浸漬するかという課題がある。【０００４】  特許文献１には、ディップコーティング法により平板状の被塗布物体を液槽の塗布液に浸す際に、被塗布物体の端面をハサミ状の液上治具と液中治具にて挟んで把持する技術が開示されている。しかるに、特許文献１において、被塗布物体がコンバイナのように薄い板状である場合、その端面をハサミ状の治具で把持して支持した際に、被塗布物体が倒れる方向に力が付与されると、治具から容易に脱落する恐れがある。これを抑制するために治具の把持力を高めると、被塗布物体の端面に圧痕などが生じ、製品品質を低下させる恐れがある。又、液中治具を塗布液内で駆動することで、摺動粉などが生じて塗布液が汚染される恐れもある。
【先行技術文献】
【特許文献】
【０００５】
【特許文献１】特開平０８−２９９８９１号公報
【特許文献２】特開平０９−２４８５０７号公報
【発明の概要】
【発明が解決しようとする課題】
【０００６】  これに対し，特許文献２には、移動する丸棒にＳ字フックの一端を掛け、その他端を基材の孔に引っかけて、基材を吊り下げた状態で浸漬部へと浸漬される構成が開示されている。特許文献２に開示された技術によれば、基材に圧痕等を生じさせることなく浸漬部へ浸漬することができるが、液中で基材に揺れや倒れが生じた場合、規定の位置まで精度良く浸漬することができないという問題がある。又、基材を引っかけるためのみに孔を設けると、この孔が製品後にも残存することになるため、それにより製品品質を低下させるという問題もある。【０００７】  本発明は、上述した課題に鑑みてなされたものであり、適切に保持されて所定の処理を行える表示部材、これを用いたヘッドアップディスプレイ装置及び表示部材を保持する治具を提供することを目的とする。
【課題を解決するための手段】
【０００８】  本発明の表示部材は、  所定の処理が施される所定の曲率を持った光学面と、  前記光学面に連結された複数の部材係合部とを有し、  前記部材係合部は一列にもしくは平行に並んで形成されており、治具の治具係合部により把持されるようになっており、  前記部材係合部が前記治具係合部により把持されることで、前記所定の処理の間、前記治具を介して保持されるようになっているものである。
【発明の効果】
【０００９】  本発明によれば、適切に保持されて所定の処理を行える表示部材、これを用いたヘッドアップディスプレイ装置及び表示部材を保持する治具を提供することができる。
【図面の簡単な説明】
【００１０】
【図１】ヘッドアップディスプレイ装置を、車体ＶＨに搭載した状態を示す図である。
【図２】描画ユニット１００の構成を示す図である。
【図３Ａ】第１の実施の形態にかかるコンバイナ２００の正面(反ドライバー側)を示す図である。
【図３Ｂ】第１の実施の形態にかかるコンバイナ２００の上面図である。
【図４】治具３００によりコンバイナ２００を保持した状態を示す図である。
【図５】治具３００により保持したコンバイナ２００を浸漬する状態を示す図である。
【図６】本実施の形態の変形例である治具３００’により、コンバイナ２００を把持した状態を示す図である。
【図７】変形例にかかる治具３００”により、変形例にかかるコンバイナ２００’を把持した状態を示す図である。
【図８Ａ】第２の実施の形態にかかるコンバイナ２００Ａの正面(反ドライバー側)を示す図である。
【図８Ｂ】第２の実施の形態にかかるコンバイナ２００Ａの上面図である。
【図９】第２の実施の形態にかかる治具３００Ａによりコンバイナ２００Ａを保持した状態を示す図である。
【図１０】第３の実施の形態にかかる治具３００Ｂによりコンバイナ２００を保持した状態を示す図である。
【発明を実施するための形態】
【００１１】  以下、本発明の実施の形態を図面に基づいて説明する。図１は、本実施の形態にかかるヘッドアップディスプレイ装置を、車体ＶＨに搭載した状態を示す図である。車体ＶＨのダッシュボードＤＢ内には描画ユニット１００が配置されており、ダッシュボードＤＢ上に固定配置された表示部材としてのコンバイナ２００に表示光を投影するようになっている。かかる表示光は反射又は回折により観察者であるドライバーＤＲの瞳に導かれ、虚像（表示像）を表示するようになっている。一方、ドライバーＤＲは虚像に重ねて、フロントウインドウＷＳ及びコンバイナ２００を透過した風景等の実像を観察することができる。コンバイナ２００は、折りたたみ式もしくは上下スライド収納式でダッシュボードＤＢ内に収納可能となっていても良い。描画ユニット１００とコンバイナ２００とで、ヘッドアップディスプレイ装置を構成する。
【００１２】  図２は、描画ユニット１００の概略構成を示す図である。描画ユニット１００は、液晶表示パネル１１１を備えた描画デバイス１１０と、凹面鏡１２０と、ハウジング１３０とから主に構成されている。描画デバイスの構成は、例えば特開２０１２−２０３１７６号公報に詳細が記載されている。
【００１３】  液晶表示パネル１１１は、透明電極膜が形成された一対の透光性基板に液晶層を封入した液晶セルの前後両面に偏光板を貼着してなるものであり、描画デバイス１１０内の不図示の光源から液晶表示パネル１１１面へ導かれた光線は、液晶表示パネル１１１を透過して表示光Ｌとなり、投射光学系を構成する凹面鏡（又は平面ミラー）１２０に照射され、ここで反射した後コンバイナ２００に向かうようになっている。コンバイナ２００は、厚さ３〜５ｍｍ(１０ｍｍ以下であると好ましい)の板状に形成された板材となっている。コンバイナ２００の投影面（ドライバー側）は、虚像を形成するために曲率半径が１００ｍｍ以上の凹状のトーリック面(自由曲面又は球面でも良い)であり、裏面（車両前方側）はそれに類似した球面又は非球面である。
【００１４】（第１の実施の形態）  図３Ａは、第１の実施の形態にかかるコンバイナ２００の正面(反ドライバー側)を示す図であり、図３Ｂは、コンバイナ２００の上面図である。コンバイナ２００は、例えばポリカーボネート、ＣＯＰ、アクリルなどの透明な樹脂を射出成形(型内圧センサの利用も可)により成形することによって一体的に成形され、投影部２０１と、投影部２０１の一端に形成された支持部２０２と、支持部２０２に連結された一対の矩形板部である係合部（部材係合部）２０３とを有する。投影部２０１の投影面（一方の光学面）２０１ａは、虚像を形成するために好適な凹状のトーリック面(自由曲面又は球面でも良い)であり、裏面（他方の光学面）２０１ｃはそれに類似した凸状の球面又は非球面である。投影部２０１の板厚は一定であると好ましいが、中心から離れるにしたがって厚みが増大又は減少するように構成しても良い。
【００１５】  投影部２０１の面は、公知のハーフミラー膜を蒸着することで、透過率７０％以上、８０％以下のハーフミラー機能を有すると好ましい。又、コンバイナ２００の表面全体にハードコートを形成することで、傷などがつきにくくなる。尚、コンバイナ２００に付与するハードコートの屈折率は、コンバイナ２００の屈折率と略等しくすることが望ましい。ハードコートは、ディッピング法、スプレー法、フロー法、スピン法等を用いて塗工するが、後述する例ではディッピング法を用いる。ハードコートの膜厚は０．５μ〜２０μｍの範囲で塗布し、好ましくは１〜１０μｍである。
【００１６】  投影部２０１の端面(エッジ)として、車体ＶＨに取り付けたときに上方になる上端面２０１ｂと、側端面２０１ｅなどが形成されている。投影面２０１ａは、曲率半径が１００ｍｍ以上、好ましくは２００ｍｍ以上、８００ｍｍ以下の球面又は非球面であると好ましい。
【００１７】  単一の支持部２０２には、２つの取付孔２０２ａ、２０２ｂが形成されている。取付孔２０２ａ、２０２ｂにボルトＢＴ(図２参照)を挿通して車体ＶＨの一部に螺合させたり、接着剤などにより車体ＶＨの一部に固定させことで、コンバイナ２００を車体ＶＨに取り付けることができる。ただし車体ＶＨへのコンバイナ２００の固定はこれに限定しない。
【００１８】  同一平板状の係合部２０３は、コンバイナ２００の中心線ＣＬから等間隔に離間して形成されて、一方の係合部２０３の各面と、他方の係合部２０３の各面とは同一平面内に存在する。又、係合部２０３の板厚は投影部２０１の板厚より薄くてもよいし、厚くてもよい。あるいは同等でもよい。
【００１９】  図４は、治具３００によりコンバイナ２００を保持した状態を示す図である。図４に示すように、治具３００は不図示のステージにより支持されて３次元的に移動可能な平板状のフレーム３０１と、フレーム３０１の同じ面に離間して取り付けられた一対の把持部３０２，３０２を有する。
【００２０】  各把持部３０２は、いわゆる洗濯ばさみ状であって、一対のアーム３０２ａ、３０２ｂと、両者間に配置された不図示の巻きバネとを有する。治具係合部を構成するアーム３０２ａ、３０２ｂは、その中間で枢動可能に連結されており、不図示の巻きバネはアーム３０２ａ、３０２ｂの下端が閉じる方向に付勢している。各々アーム３０２ｂの上端が、フレーム３０１に連結されている。アーム３０２ｂの下端に設けられた把持面３０２ｄは平面であり、一対のアーム３０２ｂの把持面３０２ｄは同一面内に存在する。把持面３０２ｄに対向するアーム３０２ａの下端把持面３０２ｃは平面であっても良いし、ここにゴムなどの滑り止めを設けても良い。
【００２１】  尚、不図示のアクチュエータをオン操作することにより、アーム３０２ａの上端を駆動することで、アーム３０２ａ、３０２ｂの下端が開いて、把持面３０２ｃ、３０２ｄが離間するようになっている。アクチュエータをオフ操作すると、巻きバネの付勢力により、アーム３０２ａ、３０２ｂの下端が閉じるようになっている。かかる開閉動作は、一対の把持部３０２において同期して行われる。但し、所定の開閉位置で一対のアーム３０２ａの上端を他部材に突き当てることにより、アーム３０２ａ、３０２ｂの下端を開閉することができるように、フレーム３０１を移動させることもできる。これによりアクチュエータは不要となる。
【００２２】  次に、所定の処理であるコンバイナ２００の表面処理方法について、図面を参照して説明する。図５は、治具３００により保持したコンバイナ２００を浸漬する状態を示す図である。図示していないが、処理前のコンバイナ２００は保管部に立てた状態で保管されている。例えば予め入力された３次元座標に従って移動する不図示のステージを用いて、フレーム３０１を処理前のコンバイナ２００の上方に位置させ、アクチュエータのオン操作でアーム３０２ａ、３０２ｂの下端を開き、そのまま下降させる。
【００２３】  把持面３０２ｃ、３０２ｄがコンバイナ２００の係合部２０３にそれぞれ対向する位置まで来たときに、フレーム３０１を停止させ、アクチュエータのオフ操作で，巻きバネの付勢力により把持面３０２ｃ、３０２ｄを近接させると、把持面３０２ｃ、３０２ｄが係合部２０３の両面に当接して押圧される。これにより係合部２０３は把持部３０２により把持される。このとき、把持面３０２ｃ、３０２ｄと係合部２０３の両面との間に摩擦力が発生するので、そのままフレーム３０１を上昇させると、アーム３０２ａ、３０２ｂにより係合部２０３が把持された状態で、コンバイナ２００も上昇することとなる。
【００２４】  その後、図５に示すように、フレーム３０１をハードコート処理液ＨＰＬが貯留された液槽ＶＬ上へと移動した後に、投影部２０１の投影面（一方の光学面）２０１ａと裏面（他方の光学面）２０１ｃに対して、ハードコート処理液面が規定位置にくるまで下降させる。投影部２０１及び支持部２０２をハードコート処理液ＨＰＬに浸漬した後、フレーム３０１を上昇させ、コンバイナ２００を液槽ＶＬから引き上げて、その後の工程へとフレーム３０１と共にコンバイナ２００を搬送し、ここで治具２００がコンバイナ２００を解放した後に、再び保管部へと移動するようになっている。尚、係合部２０３は搬送の為に設けているが、仕様上、不要であれば後工程で切断したり、必要に応じて残す場合もある。
【００２５】  本実施の形態によれば、一列に精度良く並んだ把持面３０２ｃにより、同様に一列に精度良く並んだ係合部２０３の面を支持するので、光学面２０１ａ、２０１ｃを傷つけることなく、治具３００により確実にコンバイナ２００を保持することが出来、移動や処理の間にコンバイナ２００がふらついたり，落下するなどの不具合を回避できる。又、一列に精度良く並んだ把持面３０２ｃにより、同様に一列に精度良く並んだ係合部２０３の面を支持するので、治具３００により精度良くコンバイナ２００を保持することが出来るから、液槽ＶＬ内のハードコート処理液ＨＰＬの液面に対して、コンバイナ２００を適切な位置まで浸漬することができ、これにより製品品質を向上させることができる。またコンバイナ２００に対する治具３００の把持位置を一定することで、コンバイナ２００をハードコート処理液に浸漬する際に、治具３００をハードコート処理液に浸さないようにできるから、ハードコート処理液ＨＰＬの汚染等を回避できる。更にコンバイナ２００の仕様を変更したような場合にも、係合部２０３の形状を不変とすれば、従来の治具３００で把持することができ、仕様変更に伴うコスト上昇を最小限に抑えることができる。尚、「一列」とは、厳密に同一平面にある場合のみを言わず、例えば±５度以内で互いに傾いている場合も含む。
【００２６】（第１の実施の形態の変形例）  図６は、本実施の形態の変形例である治具３００’により、コンバイナ２００を把持した状態を示す図である。図６において、この例では、フレーム３０１に対して、１つの把持部３０２’のみを取り付けている。把持部３０２’は、アーム３０２ａ’、３０２ｂ’を有するが、その長さは、コンバイナ２００の一対の係合部２０３をカバーするほどに長くなっている。それ以外の構成は、上述した実施の形態と同様である。
【００２７】  図６の変形例でも、不図示のアクチュエータをオン操作することにより、アーム３０２ａ’の上端を駆動することで、アーム３０２ａ’、３０２ｂ’の下端が開いて、把持面３０２ｃ’、３０２ｄ’が離間するようになっている。アクチュエータをオフ操作すると、巻きバネの付勢力により、アーム３０２ａ’、３０２ｂ’の下端が閉じ係合部２０３を把持するようになっている。
【００２８】（第１の実施の形態の変形例）  図７は、変形例にかかる治具３００”により、変形例にかかるコンバイナ２００’を把持した状態を示す図である。コンバイナ２００’は、係合部２０３’の上端に円筒部２０３ａをそれぞれ形成している。２つの円筒部２０３ａの軸線は一致している。一方、アーム３０２ｂ”の下端に設けられた把持面３０２ｄ”は、円筒部２０３ａの外周面に応じて凹状の円筒面となっており、また一対のアーム３０２ｂ”の把持面３０２ｄ”の軸線は共通である。又、アーム３０２ａ”の下端に設けられた把持面３０２ｃ”も、円筒部２０３ａの外周面に応じて凹状の円筒面となっており、また一対のアーム３０２ａ”の把持面３０２ｃ”の軸線は共通である。
【００２９】  図７の変形例でも、不図示のアクチュエータをオン操作することにより、アーム３０２ａ”の上端を駆動することで、アーム３０２ａ”、３０２ｂ”の下端が開いて、把持面３０２ｃ”、３０２ｄ”が離間するようになっている。アクチュエータをオフ操作すると、巻きバネの付勢力により、アーム３０２ａ”、３０２ｂ”の下端が閉じ、把持面３０２ｃ”、３０２ｄ”が円筒部２０３ａの外周にガタなく係合するようになっている。尚、円筒部の軸線は平行であっても良いし、円筒部の代わりに角柱部を設けても良い。
【００３０】（第２の実施の形態）  図８Ａは、第２の実施の形態にかかるコンバイナ２００Ａの正面(反ドライバー側)を示す図であり、図８Ｂは、コンバイナ２００Ａの上面図である。本実施の形態のコンバイナ２００Ａは、一対の係合部２０３Ａの形状が異なる。係合部２０３Ａは、光軸に平行で且つ互いに平行に延在する同一平板形状を有している。それ以外の構成は，上述した実施の形態と同様である。
【００３１】  図９は、第２の実施の形態にかかる治具３００Ａによりコンバイナ２００Ａを保持した状態を示す図である。図９に示すように、治具３００Ａは、フレーム３０１Ａの下縁から矩形板状に突出してなる取付部３０１ａの対向する両端に、アーム３０２ｂの上端が連結されている。把持部３０２の構成は、第１の実施の形態と同様である。ここで、一対のアーム３０２ｂの把持面３０２ｄは、コンバイナ２００Ａの係合部２０３Ａと同じ間隔で且つ平行している。それ以外の構成は，上述した実施の形態と同様である。尚、「平行」とは、厳密に平行である場合のみを言わず、例えば±５度以内で互いに傾いている場合も含む。
【００３２】  本実施の形態でも、不図示のアクチュエータをオン操作することにより、アーム３０２ａの上端を駆動することで、アーム３０２ａ、３０２ｂの下端が開いて、把持面３０２ｃ、３０２ｄが離間するようになっている。アクチュエータをオフ操作すると、巻きバネの付勢力により、アーム３０２ａ、３０２ｂの下端が閉じ係合部２０３Ａを把持するようになっている。
【００３３】（第３の実施の形態）  図１０は、第３の実施の形態にかかる治具３００Ｂによりコンバイナ２００を保持した状態を示す図である。本実施の形態の治具３００Ｂは，自動角度調整機構３１０を介して把持部３０２を支持している。把持部３０２の構成は、第１の実施の形態と同様である。また、コンバイナ２００も第１の実施の形態と同様で、係合部２０３はコンバイナ２００の中心線ＣＬから等間隔に離間して形成され、一方の係合部２０３の各面と他方の係合部２０３の各面とは同一平面内に存在する。より具体的には、アーム３０２ａ、３０２ｂの上端に形成された開口３０２ｅ、３０２ｆ内に摺動可能に水平軸３１１が配置されている。水平軸３１１の中央にはキューブ状の連結部３１２が形成され、連結部３１２から上方に向かって垂直軸３１３が延在しており、垂直軸３１３の上端は、フレーム３０１の下縁に接合された軸受３１４により，ガタなく回転可能に支持されている。
【００３４】  本実施の形態でも、不図示のアクチュエータをオン操作することにより、アーム３０２ａ、３０２ｂの下端が開いて、把持面３０２ｃ、３０２ｄが離間するようになっている。アクチュエータをオフ操作すると、巻きバネの付勢力により、アーム３０２ａ、３０２ｂの下端が閉じ係合部２０３を把持するようになっている。
【００３５】  ここで、同一平面内に存在すべき一対の係合部２０３同士の間に成形不良等の要因により傾きが生じていた場合、把持面３０２ｃ、３０２ｄが厳密に一列に並んでいる一対の把持部３０２では、把持面３０２ｃ、３０２ｄが係合部２０３の両面に当接した際に、係合部２０３に根元から破断するような応力が生じる恐れがある。
【００３６】  これに対し、本実施の形態によれば、自動角度調整機構３１０が設けられているので、把持面３０２ｃ、３０２ｄが傾いている場合には、把持面３０２ｃ、３０２ｄが係合部２０３の両面に当接することに応じて、垂直軸３１３が回動し、これによりアーム３０２ａ、３０２ｂが係合部２０３に倣って傾くので、適切に係合部２０３を把持できる。
【００３７】  図８に示す第２の実施の形態のように、コンバイナ２００Ａの上端から係合部２０３Ａが、光軸に平行で且つ互いに平行に延在する同一平板形状を有している場合も、自動角度調整機構３１０を設けることで垂直軸３１３が回動し、これによりアーム３０２ａ、３０２ｂが係合部２０３に倣って傾くので、適切に係合部２０３を把持できる。
【００３８】  本発明は、明細書に記載の実施例に限定されるものではなく、他の実施例・変形例を含むことは、本明細書に記載された実施例や思想から本分野の当業者にとって明らかである。例えば、本発明の表示部材及びヘッドアップディスプレイ装置は、自動車に限らず、飛行機や重機にも用いることが出来る。処理液とはハードコート処理液に限られず、防汚コート、反射防止コートなど種々の層を形成する為の処理液を含む。
【産業上の利用可能性】
【００３９】  本発明は、表示部材、ヘッドアップディスプレイ装置及び治具に利用することができる。
【符号の説明】
【００４０】１００            描画ユニット１１０            描画デバイス１１１            液晶表示パネル１２０            凹面鏡１３０            ハウジング２００、２００’、２００Ａコンバイナ２０１            投影部２０１ａ、２０１ｃ    投影面２０１ｂ          上端面２０１ｅ          側端面２０２            支持部２０２ａ          取付孔２０３、２０３’、２０３Ａ係合部２０３ａ          円筒部３００、３００”、３００Ａ、３００Ｂ          治具３０１、３０１Ａ      フレーム３０１ａ          取付部３０２            把持部３０２ａ、３０２ａ’、３０２ａ”            アーム３０２ｂ、３０２ｂ’、３０２ｂ”            アーム３０２ｃ、３０２ｃ’、３０２ｃ”            把持面３０２ｄ、３０２ｄ’、３０２ｄ”            把持面３０２ｅ、３０２ｆ    開口３１０            自動角度調整機構３１１            水平軸３１２            連結部３１３            垂直軸３１４            軸受ＢＴ            ボルトＤＢ            ダッシュボードＤＲ            ドライバーＨＰＬ            ハードコート処理液Ｌ            表示光ＶＨ            車体ＶＬ            液槽ＷＳ            フロントウインドウ
【図１】
2018092636.tif 000003
【図２】
2018092636.tif 000004
【図３Ａ】
2018092636.tif 000005
【図３Ｂ】
2018092636.tif 000006
【図４】
2018092636.tif 000007
【図５】
2018092636.tif 000008
【図６】
2018092636.tif 000009
【図７】
2018092636.tif 000010
【図８Ａ】
2018092636.tif 000011
【図８Ｂ】
2018092636.tif 000012
【図９】
2018092636.tif 000013
【図１０】
2018092636.tif 000014
【国際調査報告】
2018092636.tif 000015
2018092636.tif 000016
2018092636.tif 000017
2018092636.tif 000018